(57)【特許請求の範囲】
【請求項１】
合成樹脂製パレットにカード形のＩＣタグを保持したパレット用ＩＣタグホルダを取り付けるためのパレット用ＩＣタグホルダの取り付け構造において、
前記合成樹脂製パレットには、
その上面又は下面に開放したホルダ挿入開口と、
前記ホルダ挿入開口の開口縁に直交しかつ前記合成樹脂製パレット全体と略同一の高さの全高壁と、
前記全高壁の上下方向の両端部から互いに接近する方向に延びた１対の切欠溝とが備えられ、
前記パレット用ＩＣタグホルダには、
前記ホルダ挿入開口の奥側に全体が収容されると共に、前記全高壁に対向配置されたホルダベースと、
前記ホルダベースから前記１対の切欠溝内に突出した１対の突片の先端を、互いに接近する側に直角曲げして１対の壁部係止突起を設けた構造をなし、前記全高壁のうち前記１対の切欠溝の間の中間壁部を挟持しかつその中間壁部の両端部に前記１対の壁部係止突起が係止した１対の壁部挟持アームと、
前記ホルダベースから前記全高壁と反対側に対をなして突出し、前記ＩＣタグを前記全高壁と平行に配置した状態で挟持可能であると共に、先端部が前記ＩＣタグの縁部に対して前記ホルダベースとは反対側から係止する１対のタグ挟持アームとが備えられ、
上側の前記壁部係止突起のうち前記ホルダベースとの対向面の反対側には、前記ホルダベースに接近するに従って下方に向かうように傾斜した傾斜面が形成され、下側の前記壁部係止突起を上側の前記壁部係止突起より先に前記中間壁部の下端部に係止させてから、上側の前記壁部係止突起の前記傾斜面を前記中間壁部の上端部に押しつけて摺接させることで、前記壁部挟持アームの間が弾性的に広がって前記上側の前記壁部係止突起が前記中間壁部の上端部を乗り越え、前記中間壁部の上端部に係止するようにしたことを特徴とするパレット用ＩＣタグホルダの取り付け構造。
【請求項２】
前記ホルダベースのうち前記ＩＣタグとの対向面から突出して前記ＩＣタグに突き当てられるタグ当接突部を備えたことを特徴とする請求項１に記載のパレット用ＩＣタグホルダの取り付け構造。
【請求項３】
前記ホルダ挿入開口を、前記合成樹脂製パレット全体の平面形状である正方形に対して４５度旋回させた正方形にして前記合成樹脂製パレットの上面中央に配置し、
前記ホルダ挿入開口の４辺の開口縁に直交した４つの前記全高壁を設けて、それら４つの前記全高壁で断面正方形の中央角筒壁を構成すると共に、その中央角筒壁の内側に前記ホルダベースを収容したことを特徴とする請求項１又は２に記載のパレット用ＩＣタグホルダの取り付け構造。
【請求項４】
前記中央角筒壁の下端に底壁を設けたことを特徴とする請求項３に記載のパレット用ＩＣタグホルダの取り付け構造。
【請求項５】
前記ホルダベースを、前記ＩＣタグに比べて上下方向に長くかつ左右方向に短くして、そのホルダベースの上下の両端部に前記１対のタグ挟持アームを配置し、上下方向から前記タグ挟持アームにより挟持された前記ＩＣタグの左右方向への移動をそのＩＣタグの両横の前記１対の全高壁によって規制したことを特徴とする請求項３又は４に記載のパレット用ＩＣタグホルダの取り付け構造。
【発明の詳細な説明】
【技術分野】
【０００１】
本発明は、合成樹脂製パレットにカード形のＩＣタグを保持したパレット用ＩＣタグホルダを取り付けるためのパレット用ＩＣタグホルダの取り付け構造に関する。
【背景技術】
【０００２】
図１２に示した従来のパレット用ＩＣタグホルダの取り付け構造は、合成樹脂製パレットの上面を構成する桟壁１，１同士の隙間にパレット用ＩＣタグホルダ２を差し込み、それら桟壁１，１に、ＩＣタグホルダ２の上端に設けた係止突片２Ｔを係止した構造になっていた（例えば、特許文献１参照）。また、図１３に示した従来のパレット用ＩＣタグホルダの取り付け構造は、合成樹脂製パレットにおける上面の桟壁３Ｕと下面の桟壁３Ｄとの間に、パレット用ＩＣタグホルダ４を突っ張り状態にして取り付けた構造になっていた（例えば、特許文献２参照）。
【特許文献１】特開平９−２５４９８３号公報（第２図、第３図、第６図）
【特許文献２】特開平１１−１２３０号公報（第６図、第７図）
【発明の開示】
【発明が解決しようとする課題】
【０００３】
ところで、合成樹脂製パレットは荷物を載置する際やパレット同士を積み上げる際の衝撃によって上面又は下面を構成する桟壁が部分的に破損する場合がある。また、搬送現場を見ればわかるように、一部が破損したパレットも継続して使用されている。ところが、上記図１２及び図１３に示した従来のパレット用ＩＣタグホルダの取り付け構造では、桟壁１，３Ｕ，３Ｄの破損によってパレット用ＩＣタグホルダ２，４が外れる事態が生じ得た。
【０００４】
本発明は、上記事情に鑑みてなされたもので、従来よりパレット用ＩＣタグホルダを合成樹脂製パレットから外れ難くすることが可能なパレット用ＩＣタグホルダの取り付け構造の提供を目的とする。
【課題を解決するための手段】
【０００５】
上記目的を達成するためになされた請求項１の発明に係るパレット用ＩＣタグホルダの取り付け構造は、合成樹脂製パレットにカード形のＩＣタグを保持したパレット用ＩＣタグホルダを取り付けるためのパレット用ＩＣタグホルダの取り付け構造において、合成樹脂製パレットには、その上面又は下面に開放したホルダ挿入開口と、ホルダ挿入開口の開口縁に直交しかつ合成樹脂製パレット全体と略同一の高さの全高壁と、全高壁の上下方向の両端部から互いに接近する方向に延びた１対の切欠溝とが備えられ、パレット用ＩＣタグホルダには、ホルダ挿入開口の奥側に全体が収容されると共に、全高壁に対向配置されたホルダベースと、ホルダベースから１対の切欠溝内に突出した１対の突片の先端を、互いに接近する側に直角曲げして１対の壁部係止突起を設けた構造をなし、全高壁のうち１対の切欠溝の間の中間壁部を挟持しかつその中間壁部の両端部に１対の壁部係止突起が係止した１対の壁部挟持アームと、ホルダベースから全高壁と反対側に対をなして突出し、ＩＣタグを全高壁と平行に配置した状態で挟持可能であると共に、先端部がＩＣタグの縁部に対してホルダベースとは反対側から係止する１対のタグ挟持アームとが備えられ、上側の壁部係止突起のうちホルダベースとの対向面の反対側には、ホルダベースに接近するに従って下方に向かうように傾斜した傾斜面が形成され、下側の壁部係止突起を上側の壁部係止突起より先に中間壁部の下端部に係止させてから、上側の壁部係止突起の傾斜面を中間壁部の上端部に押しつけて摺接させることで、壁部挟持アームの間が弾性的に広がって上側の壁部係止突起が中間壁部の上端部を乗り越え、中間壁部の上端部に係止するようにしたところに特徴を有する。
【０００６】
請求項２の発明は、請求項１に記載のパレット用ＩＣタグホルダの取り付け構造において、ホルダベースのうちＩＣタグとの対向面から突出してＩＣタグに突き当てられるタグ当接突部を備えたところに特徴を有する。
【０００７】
請求項３の発明は、請求項１又は２に記載のパレット用ＩＣタグホルダの取り付け構造において、ホルダ挿入開口を、合成樹脂製パレット全体の平面形状である正方形に対して４５度旋回させた正方形にして合成樹脂製パレットの上面中央に配置し、ホルダ挿入開口の４辺の開口縁に直交した４つの全高壁を設けて、それら４つの全高壁で断面正方形の中央角筒壁を構成すると共に、その中央角筒壁の内側にホルダベースを収容したところに特徴を有する。
【０００８】
請求項４の発明は、請求項３に記載のパレット用ＩＣタグホルダの取り付け構造において、中央角筒壁の下端に底壁を設けたところに特徴を有する。
【０００９】
請求項５の発明は、請求項３又は４に記載のパレット用ＩＣタグホルダの取り付け構造において、ホルダベースを、ＩＣタグに比べて上下方向に長くかつ左右方向に短くして、そのホルダベースの上下の両端部に１対のタグ挟持アームを配置し、上下方向からタグ挟持アームにより挟持されたＩＣタグの左右方向への移動をそのＩＣタグの両横の１対の全高壁によって規制したところに特徴を有する。
【発明の効果】
【００１０】
［請求項１の発明］
請求項１のパレット用ＩＣタグホルダの取り付け構造では、ＩＣタグは、パレット用ＩＣタグホルダのうちホルダベースから突出した１対のタグ挟持アームの間に挟持される。また、パレット用ＩＣタグホルダは、合成樹脂製パレットの上面又は下面に開放したホルダ挿入開口の奥側に挿入されて、合成樹脂製パレットの全高壁に取り付けられる。そのために、全高壁には、その上下両端部から互いに接近する方向に延びた１対の切欠溝が形成されている。そして、パレット用ＩＣタグホルダに備えた１対の壁部挟持アームが、全高壁のうち１対の切欠溝の間の中間壁部を挟持しかつその中間壁部の両端部に１対の壁部挟持アームの先端の１対の壁部係止突起が係止する。即ち、本発明では、パレット用ＩＣタグホルダが、従来のように合成樹脂製パレットの上面又は下面を構成する桟壁等の上面壁又は下面壁に係止するのではなく、合成樹脂製パレットの上面と下面との中間に位置した中間壁部に係止するので、合成樹脂製パレットの上面壁又は下面壁が部分的に破損しても、パレット用ＩＣタグホルダの中間壁部に対する取り付け状態が変わらず、従来よりパレット用ＩＣタグホルダを合成樹脂製パレットから外れ難くすることができる。また、パレット用ＩＣタグホルダを中間壁部に取り付ける際には、下側の壁部係止突起を上側の壁部係止突起より先に中間壁部の下端部に係止させてから、上側の壁部係止突起に備えた傾斜面を中間壁部の上端部に押しつけて摺接させることで、壁部挟持アームの間が弾性的に広がり、上側の壁部係止突起が中間壁部の上端部を乗り越えてその中間壁部の上端部に係止するので、パレット用ＩＣタグホルダの取り付け作業も容易に行うことができる。
【００１１】
［請求項２の発明］
請求項２のパレット用ＩＣタグホルダの取り付け構造では、ホルダベースのうちＩＣタグとの対向面からタグ当接突部が突出しており、そのタグ当接突部がＩＣタグに突き当てられるので、ホルダベースとＩＣタグとの接触面積が抑えられ、ＩＣタグの無線通信状態が良好になる。
【００１２】
［請求項３の発明］
ＩＣタグとの間で無線を送受するタグリーダーライターは、そのＩＣタグが取り付けられた合成樹脂製パレットの側面に対峙した状態で取り扱われる場合が多く、その側面は合成樹脂製パレットの縦横の何れの側面の場合もあり得る。これに対し、請求項３のパレット用ＩＣタグホルダの取り付け構造では、ホルダ挿入開口を、合成樹脂製パレット全体の平面形状である正方形に対して４５度旋回させた正方形にして、合成樹脂製パレットの上面中央に配置し、ホルダ挿入開口の４辺の開口縁に直交した全高壁を設けたので、全高壁が、合成樹脂製パレットの縦横の側面に対して４５度の角度で傾斜し、その全高壁と平行に配置されるＩＣタグも合成樹脂製パレットの縦横の側面に対して４５度の角度で傾斜した状態になる。これにより、タグリーダーライターが合成樹脂製パレットの縦横の何れの側面に対峙した状態で扱われても、そのタグリーダーライターに対してＩＣタグが完全に横向きになることがなくなり、ＩＣタグは無線を良好な状態で送受信することができる。また、本発明の構成によれば、ＩＣタグがホルダーベースと共に４つの全高壁で構成された中央角筒壁の内側に収容され、四方を全高壁で囲まれて保護される。
【００１３】
［請求項４の発明］
請求項４のパレット用ＩＣタグホルダの取り付け構造では、ＩＣタグ及びパレット用ＩＣタグホルダを収容する中央角筒壁の下端に底壁を設けたので、仮にパレット用ＩＣタグホルダからＩＣタグが外れたり、全高壁からパレット用ＩＣタグホルダが外れても、底壁で受け止めることができる。
【００１４】
［請求項５の発明］
請求項５のパレット用ＩＣタグホルダの取り付け構造によれば、ＩＣタグとホルダベースとの接触部分が、ＩＣタグにおける左右方向の全長の一部に限定されるので、ＩＣタグの無線通信状態が良好になる。また、上下方向からタグ挟持アームにより挟持されたＩＣタグの左右方向への移動をそのＩＣタグの両横の１対の全高壁によって規制されるので、パレット用ＩＣタグホルダの構造を簡素化することができる。
【発明を実施するための最良の形態】
【００１５】
以下、本発明の一実施形態を図１〜図１０に基づいて説明する。図１に示した本実施形態の合成樹脂製パレット１０（以下、単に「パレット１０」という）は、平面略正方形のデッキボード１１の下面に複数の桁部２０を備え、それら桁部２０同士の間がフォーク挿入空間１４になっている。
【００１６】
デッキボード１１には、その外縁部と縦横の中心線とに沿った部位に、比較的強度が大きな上面強化梁１２が備えられ、デッキボード１１の全体で上面強化梁１２が「田」の字形状になっている。そして、上面強化梁１２に囲まれた四角形の４つの領域がそれぞれ荷受盤１３にて塞がれている。また、それら上面強化梁１２及び荷受盤１３は共にメッシュ構造（桟構造）をなし、そのメッシュ構造の網目は上下に貫通している。
【００１７】
図２に示すように桁部２０は、デッキボード１１のうち上面強化梁１２同士の交差位置に配置されている。即ち、桁部２０は、デッキボード１１の四隅と、デッキボード１１の各外縁部における各中央部と、デッキボード１１の平面形状における図心との計９箇所に配置されている。また、縦横の何れかの方向で隣合った桁部２０，２０同士の間には、下面強化梁１５が差し渡され、その下面強化梁１５も全体が「田」の字形状になっている。なお、下面強化梁１５に囲まれた四角形の４つの領域には、荷受盤１３に相当する構造体はなく、単なる空間になっている。
【００１８】
図３（Ａ）には、デッキボード１１の図心に配置された桁部２０が拡大して示されている。以下、特記しない限り、「桁部２０」とはデッキボード１１の図心の桁部２０を指すものとする。その桁部２０は、外殻部分に断面略正方形の桁部外殻壁２１を有している。桁部外殻壁２１を構成する縦横４つの側部壁２１Ａは、パレット１０の縦横４つの外側面と並行になっている。そして、桁部外殻壁２１の各側部壁２１Ａの外面に前記した各上面強化梁１２がそれぞれ直交した状態で接続されている。
【００１９】
桁部外殻壁２１の上面開口は、複数の上部帯板壁２２によって部分的に覆われている。各上部帯板壁２２は、例えば、桁部外殻壁２１の各側部壁２１Ａにおける幅方向中央から左隣の側部壁２１Ａに向けて斜め４５度の方向に延びている。そして、各上部帯板壁２２の先端部が左隣の上部帯板壁２２の基端寄り位置に接続されている。また、各上部帯板壁２２の上面は、デッキボード１１全体の上面と面一になっている。
【００２０】
桁部外殻壁２１の中心部には、上記複数の上部帯板壁２２に囲まれて正方形になったホルダ挿入開口２３が形成されている。そのホルダ挿入開口２３の正方形は、パレット１０全体の平面形状である正方形に対して４５度旋回した配置になっている（図１参照）。
【００２１】
ホルダ挿入開口２３の開口縁からは、断面形状がホルダ挿入開口２３の開口形状と同じ正方形になった中央角筒壁２４が垂下されている。図４に示すように中央角筒壁２４は、デッキボード１１全体と略同一の高さになっており、中央角筒壁２４の下面は、デッキボード１１全体の下面と面一になっている。また、中央角筒壁２４の下面は底壁２５によって閉塞され、その底壁２５の中心部には、四角形の貫通孔２５Ａが形成されている。そして、中央角筒壁２４の４つの側面がそれぞれ、本発明に係る全高壁２６によって構成されている。換言すれば、ホルダ挿入開口２３の４辺の開口縁に直交しかつパレット１０全体と略同一の高さの４つの全高壁２６（図４には、３つの全高壁２６のみが示されている）が接合されて中央角筒壁２４が構成されている。
【００２２】
各全高壁２６には、１対ずつの切欠溝２７，２７がそれぞれ形成されている。それら１対の切欠溝２７，２７は、各全高壁２６の上下方向の両端部から互いに接近する方向に延びている。また、全高壁２６のうち１対の切欠溝２７，２７の間が本発明に係る中間壁部２７Ｃに相当し、その中間壁部２７Ｃの上下の両端部は、水平かつ平坦な係止部２７Ａ，２７Ａになっている。
【００２３】
なお、図５に示すように、桁部外殻壁２１の下面開口には、各角部にコーナー補強壁２８が形成され、桁部外殻壁２１の隣り合った側部壁２１Ａ，２１Ａの間を連絡している。また、各コーナー補強壁２８のうち中央角筒壁２４側の縁部からは補強リブ３０Ｂが起立している。さらに、桁部２０には、全高壁２６を水平方向の一方に延長して延長補強壁２９が形成されている。各延長補強壁２９は、桁部外殻壁２１の内側面と上部帯板壁２２（図４参照）の下面に接続されている。また、図４に示すように、各上部帯板壁２２のうち全高壁２６が直交した縁部と反対側の縁部からは補強リブ３０Ａが垂下されている。
【００２４】
図３（Ｂ）に示すように上記した中央角筒壁２４の内部には、パレット用ＩＣタグホルダ４０（以下、単に「ＩＣタグホルダ４０」という）を介してＩＣタグ９０が取り付けられている。本実施形態のＩＣタグ９０は、図６（Ａ）に全体が示されており、ＲＦＩＤ（Ｒａｄｉｏ  Ｆｒｅｑｕｅｎｃｙ  Ｉｄｅｎｔｉｆｉｃａｔｉｏｎ）とも呼ばれ、情報と共に電力を無線で受け、それに対して情報を無線返信する。その無線の周波数帯域は、例えば、８６０〜９６０［ＭＨｚ］のＵＨＦ帯域が使用されている。また、ＩＣタグ９０は、可撓性に富んだ四角形のフィルム回路基盤９１に、例えば、コイルアンテナ９２とＩＣチップ９３と実装して樹脂フィルム９４でラミネートしてなり、全体が縦長のカード形状になっている。
【００２５】
本実施形態のＩＣタグホルダ４０は、上下方向に延びた帯板状のホルダベース４１に、１対のタグ挟持アーム４３，４３と１対の壁部挟持アーム４４，４４（図７参照）とを一体形成した構造になっている。ホルダベース４１は、ＩＣタグ９０に比べて上下方向に長くかつ左右方向に短くなっている。より具体的には、ホルダベース４１の左右方向の横幅は、ＩＣタグ９０の横幅の例えば１／２程度になっている。
【００２６】
ホルダベース４１の前面には、本発明に係るタグ当接突部４２が突出形成されている。タグ当接突部４２は、ホルダベース４１の外縁部全体に形成された外縁突条４２Ａと、ホルダベース４１の上下方向の中央位置、上端寄り位置及び下端寄り位置で幅方向全体に延びた水平突条４２Ｂと、それら水平突条４２Ｂより更に端部寄り位置で、次述するタグ挟持アーム４３の両側方に配置された上下１対ずつの端部突起４２Ｃとからなる。なお、端部突起４２Ｃは、外縁突条４２Ａからタグ挟持アーム４３側に向けてそれぞれ水平方向に延び、タグ挟持アーム４３側の先端部が、丸みを帯びてタグ挟持アーム４３に近づくに従って徐々に低くなっている。
【００２７】
１対のタグ挟持アーム４３，４３は、ホルダベース４１の上下の両端部から前方に突出し、それらタグ挟持アーム４３，４３の突出量はタグ当接突部４２の突出量より大きくなっている。また、各タグ挟持アーム４３は、ホルダベース４１から突出した突片の先端を、ホルダベース４１における上下方向の中央側に直角曲げして、先端にタグ係止突起４３Ａ，４３Ａを設けた構造になっている。そして、両タグ挟持アーム４３，４３は、図６（Ｂ）に示すように、ＩＣタグ９０を上下方向で挟持すると共に、各タグ挟持アーム４３のタグ係止突起４３Ａとタグ当接突部４２とによりＩＣタグ９０を厚さ方向で挟持するようになっている
【００２８】
図７に示すように、１対の壁部挟持アーム４４，４４は、ホルダベース４１から後方、即ち、タグ挟持アーム４３と反対側に向かって突出している。それら１対の壁部挟持アーム４４，４４は、タグ挟持アーム４３，４３よりホルダベース４１の上下方向における中央寄りに配置されて、上下方向で対峙している。また、壁部挟持アーム４４，４４は、ホルダベース４１から突出した突片の先端を、ホルダベース４１における上下方向の中央側に直角曲げして先端に壁部係止突起４４Ａ，４４Ｂを設けた構造になっている。さらに、下側の壁部挟持アーム４４に備えた壁部係止突起４４Ｂの先端面が水平な平坦面４４Ｈになっているのに対し、上側の壁部挟持アーム４４に備えた壁部係止突起４４Ａの先端面は、ホルダベース４１側に近づくに従って下方に向かう傾斜面４４Ｋになっている。
【００２９】
本実施形態の構成に関する説明は以上である。次に、本実施形態の作用効果について説明する。図６（Ａ）に示したＩＣタグ９０をＩＣタグホルダ４０に保持させるには、ＩＣタグホルダ４０における両タグ挟持アーム４３，４３のタグ係止突起４３Ａ，４３Ａとホルダベース４１との間に側方からＩＣタグ９０を挿入すればよい。そして、図６（Ｂ）に示すようにＩＣタグホルダ４０をＩＣタグ９０の左右方向における中央に配置する。
【００３０】
次いで、ＩＣタグ９０を保持したＩＣタグホルダ４０をパレット１０に取り付けるには、ホルダ挿入開口２３の奥側に備えた４つの全高壁２６のうち任意の全高壁２６を選び、その全高壁２６とホルダベース４１とを平行に配置した状態にして（図３（Ａ）参照）、ＩＣタグホルダ４０をＩＣタグ９０と共にホルダ挿入開口２３の奥側に挿入する。そして、ＩＣタグホルダ４０における下端側の壁部挟持アーム４４の先端を、全高壁２６の下側の切欠溝２７内に突入させてからＩＣタグホルダ４０を引き上げる。これにより、図１０に示すように下側の壁部挟持アーム４４の壁部係止突起４４Ｂが全高壁２６における中間壁部２７Ｃの下端に備えた係止部２７Ａに係止する。そして、その係止部２７Ａを支点にしてＩＣタグホルダ４０を回転させ、上側の壁部挟持アーム４４の壁部係止突起４４Ａにおける傾斜面４４Ｋ（図７参照）を、中間壁部２７Ｃの上端側の係止部２７Ａに押しつける。すると、傾斜面４４Ｋが係止部２７Ａに摺接して壁部挟持アーム４４，４４の間が弾性的に広がる。そして、タグ係止突起４３Ａが係止部２７Ａを乗り越えたところで、壁部挟持アーム４４，４４が弾性復元し、これにより、図９及び図１０に示すように両壁部挟持アーム４４，４４が中間壁部２７Ｃを上下方向で挟持し、かつ、両壁部挟持アーム４４，４４の壁部係止突起４４Ａ，４４Ｂが中間壁部２７Ｃの係止部２７Ａ，２７Ａに係止する。以上により、ＩＣタグホルダ４０のパレット１０へと取り付けが完了する。
【００３１】
ＩＣタグホルダ４０がパレット１０に取り付けられると、図８に示すようにＩＣタグホルダ４０は、パレット１０の上面及び下面の中間に配置されて、ＩＣタグホルダ４０の上端部及び下端部が、パレット１０の上面及び下面から離れた状態になる。また、ＩＣタグ９０も、パレット１０の上面及び下面から離れた状態になる。そして、ＩＣタグ９０は、ＩＣタグホルダ４０が取り付けられた全高壁２６の両隣の全高壁２６，２６により、左右方向への移動が規制される。即ち、ＩＣタグ９０は、ＩＣタグホルダ４０と１対の全高壁２６，２６との協働によりパレット１０内に保持される。また、ＩＣタグ９０は、ＩＣタグホルダ４０が取り付けられた全高壁２６と平行に配置され、その全高壁２６と共にＩＣタグ９０は、パレット１０の縦横の側面に対して４５度の角度で傾斜した状態になる。
【００３２】
ここで、ＩＣタグ９０との間で無線を送受するタグリーダーライター（図示せず）は、そのＩＣタグ９０が取り付けられたパレット１０の側面に対峙した状態で取り扱われる場合が多く、その側面はパレット１０の縦横の何れの側面の場合もあり得る。これに対し、本実施形態では、上記したように、ＩＣタグ９０がパレット１０の縦横の側面に対して４５度の角度で傾斜しているので、タグリーダーライターがパレット１０の縦横の何れの側面に対峙した状態で扱われても、そのタグリーダーライターに対してＩＣタグ９０が完全に横向きになることがない。即ち、ＩＣタグ９０のコイルアンテナ９２の軸方向と、タグリーダーライターからの無線の送信方向とが直交することがなくなり、ＩＣタグ９０は無線を良好な状態で送受信することができる。
【００３３】
上記したように本実施形態によれば、ＩＣタグホルダ４０が、従来のようにパレットの上面又は下面を構成する桟壁等の上面壁又は下面壁に係止するのではなく、パレット１０の上面と下面との中間に位置した中間壁部２７Ｃに係止するので、パレット１０の上面壁又は下面壁が部分的に破損しても、ＩＣタグホルダ４０の取り付け状態は変わらない。これにより、従来よりＩＣタグホルダ４０をパレット１０から外れ難くすることができる。また、本実施形態では、ホルダベース４１のうちＩＣタグ９０との対向面からタグ当接突部４２が突出しているので、ホルダベース４１とＩＣタグ９０との接触面積が抑えられ、ＩＣタグ９０の無線通信状態が良好になる。しかも、ホルダベース４１の横幅をＩＣタグ９０より小さくしたので、ＩＣタグ９０とホルダベース４１との接触部分が、ＩＣタグ９０における左右方向の全長の一部に限定され、この点においてもＩＣタグ９０の無線通信状態が良好になる。さらには、本発明の「１対の隣接壁」に相当する１対の全高壁２６，２６をＩＣタグ９０の保持に利用したので、ＩＣタグホルダ４０のみでＩＣタグ９０を保持する場合に比べて、ＩＣタグホルダ４０の構造を簡素化することができる。
【００３４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３５】
（１）前記実施形態のパレット１０は、上面及び下面がメッシュ構造になっていたが、上面及び下面を平板構造にしてもよい。この場合、その平板構造の上面壁及び下面壁にホルダ挿入開口を貫通形成して、その奥部に全高壁を設ければよい。
【００３７】
（２）前記実施形態のＩＣタグホルダ４０がＩＣタグ９０を保持した状態で、ＩＣタグ９０は左右方向に移動可能であるため、１対の全高壁２６，２６によりＩＣタグ９０の左右方向の移動を規制していたが、図１１（Ａ）及び図１１（Ｂ）に示すように、タグ挟持アーム４３，４３同士の対向面に突起４３Ｔ，４３Ｔを形成すると共に、ＩＣタグ９０の上縁部及び下縁部の中央に係止凹部９０Ｔを形成しておき、突起４３Ｔ，４３Ｔと係止凹部９０Ｔとを凹凸係合させることで、ＩＣタグ９０の左右方向の移動を規制してもよい。
【図面の簡単な説明】
【００３８】
【図１】本発明の一実施形態に係る合成樹脂パレットの斜視図
【図２】合成樹脂パレットを下面から見た斜視図
【図３】合成樹脂パレットとパレット用ＩＣタグホルダの斜視図
【図４】合成樹脂パレットの桁部の一部を破断した斜視図
【図５】合成樹脂パレットの桁部を下面から見た状態の斜視図
【図６】パレット用ＩＣタグホルダとＩＣタグの斜視図
【図７】パレット用ＩＣタグホルダの斜視図
【図８】合成樹脂パレットにパレット用ＩＣタグホルダを取り付けた状態の斜視図
【図９】合成樹脂パレットにパレット用ＩＣタグホルダを取り付けた状態の斜視図
【図１０】合成樹脂パレットにパレット用ＩＣタグホルダを取り付けた状態の斜視図
【図１１】変形例のパレット用ＩＣタグホルダとＩＣタグの斜視図
【図１２】従来のパレット用ＩＣタグホルダの取り付け構造の斜視図
【図１３】従来のパレット用ＩＣタグホルダの取り付け構造の斜視図
【符号の説明】
【００３９】
１０    合成樹脂製パレット
２０    桁部
２１    桁部外殻壁
２３    ホルダ挿入開口
２６    全高壁
２７    切欠溝
２７Ｃ    中間壁部
４０    タグホルダ
４１    ホルダベース
４２    タグ当接突部
４３    タグ挟持アーム
４３Ｋ    タグ挟持アーム
４４    壁部挟持アーム
９０    ＩＣタグ
【図１】
0004895209.tif 000002
【図２】
0004895209.tif 000003
【図３】
0004895209.tif 000004
【図４】
0004895209.tif 000005
【図５】
0004895209.tif 000006
【図６】
0004895209.tif 000007
【図７】
0004895209.tif 000008
【図８】
0004895209.tif 000009
【図９】
0004895209.tif 000010
【図１０】
0004895209.tif 000011
【図１１】
0004895209.tif 000012
【図１２】
0004895209.tif 000013
【図１３】
0004895209.tif 000014